(57)【要約】【課題】親局、子局間の効率の良い伝送により通信ネットワークの負荷を軽減し、親局については常時通信ネットワークに接続する必要がなく、かつ、低コストな汎用の計算機を用いて実現すること。【解決手段】子局に配電線の系統状態あるいは開閉器および自局の状態データを出力する状態判断手段２１と、監視操作用の画面プログラムを保持する画面プログラム保持手段２４を設け、親局では子局から画面プログラムをダウンロードし、そのプログラムを実行することにより表示される監視操作画面上に子局の状態データを表示する。【選択図】　図１
2004088973.tif 000002
【特許請求の範囲】
【請求項１】
配電線に配置された開閉器と、前記開閉器や系統の状態信号を取り込む遠方監視制御子局と、前記遠方監視制御子局と通信ネットワークを介して繋がる親局計算機とを有し、開閉器および系統状態を遠方監視制御する配電自動化システムであって、前記遠方監視制御子局は、前記開閉器から状態信号を入力する信号入力手段と、前記信号入力手段の出力から配電線の系統状態あるいは開閉器および自局の状態データを出力する状態判断手段と、開閉器の制御信号を出力する出力手段と、監視操作用の画面プログラムを保持する画面プログラム保持手段と、前記通信ネットワークを介して前記親局計算機と通信を行う通信手段とを備え、前記親局計算機は、前記通信ネットワークを介して前記遠方監視制御子局と通信を行う通信手段と、前記遠方監視制御子局から前記画面プログラムをダウンロードし実行する画面プログラム起動手段と、前記画面プログラム起動手段を実行することにより表示される監視操作画面上に前記遠方監視制御子局の前記状態データを表示する状態データ表示手段と、前記監視操作画面を通して開閉器の制御指令を送出する制御指令送信手段とを備えたことを特徴とする配電自動化システム。
【請求項２】
配電線に配置された開閉器と、前記開閉器や系統の状態信号を取り込む遠方監視制御子局と、前記遠方監視制御子局と通信ネットワークを介して繋がる親局計算機と、前記通信ネットワーク介して前記遠方監視制御子局および前記親局計算機と繋がるメイルサーバとを有し、開閉器および系統状態を遠方監視制御する配電自動化システムであって、前記遠方監視制御子局は、前記開閉器から状態信号を入力する信号入力手段と、前記信号入力手段の出力から配電線の系統状態あるいは開閉器および自局の状態データを出力する状態判断手段と、前記状態判断手段から出力される状態データを記憶する状態データ記憶手段と、前記状態判断手段の状態データと前記状態データ記憶手段に記憶されている状態データとを比較して状態変化を検出したときに前記状態データ記憶手段に対して前記状態判断手段から出力される状態データを記憶させるための状態変化有り信号を出力する状態比較手段と、前記状態変化有り信号により予め登録された所定のメイルアドレスに対して状態変化があったことを通知するメイルを送信するメイル発行手段と、開閉器の制御信号を出力する出力手段と、監視操作用の画面プログラムを保持する画面プログラム保持手段と、前記通信ネットワークを介して前記親局計算機または前記メイルサーバと通信を行う通信手段とを備え、前記メイルサーバは、前記通信ネットワークを介して送られてくる前記遠方監視制御子局からのメイルを保存するメイル保存手段を備え、前記親局計算機は、前記通信ネットワークを介して前記遠方監視制御子局または前記メイルサーバと通信を行う通信手段と、前記遠方監視制御子局から前記画面プログラムをダウンロードし実行する画面プログラム起動手段と、前記メイルサーバから自局宛てのメイルを受信するメイル受信手段と、前記受信手段により受信したメイルから前記遠方監視制御子局の前記状態データを抽出し前記画面プログラム起動手段を実行することにより表示される監視操作画面上に表示する状態データ抽出手段と、前記監視操作画面を通して開閉器の制御指令を送出する制御指令送信手段とを備えたことを特徴とする配電自動化システム。
【請求項３】
前記メイル発行手段は、前記親局計算機が前記制御子局と接続されていないときにメイルを送信することを特徴とする請求項２記載の配電自動化システム。
【請求項４】
前記所定のメイルアドレスは、前記親局計算機が前記通信ネットワークに接続されていないときは、操作者のメイルアドレスに切り替え、操作者に状態変化があったことを通知することを特徴とする請求項２記載の配電自動化システム。
【請求項５】
前記遠方監視制御子局は、定時になると前記メイル発行手段に対して、メイル送信指令を出す時刻判定手段を備えたことを特徴とする請求項２記載の配電自動化システム。
【請求項６】
前記親局計算機は、前記遠方監視制御子局への制御指令をメイルで送信するメイル送信手段を備え、前記遠方監視制御子局は、前記親局計算機または予め登録された所定のアドレスから送られてくるメイルを受信しこのメイルより制御指令を抽出し前記出力手段に出力する受信手段を備えたことを特徴とする請求項２記載の配電自動化システム。
【請求項７】
配電線に配置された開閉器や系統の状態信号を取り込み通信ネットワークを介して繋がる親局計算機に前記開閉器や系統の状態を通知する遠方監視制御子局であって、前記開閉器から状態信号を入力する信号入力手段と、前記信号入力手段の出力から配電線の系統状態あるいは開閉器および自局の状態データを出力する状態判断手段と、前記親局から前記通信ネットワークを介して送られてくる開閉器の制御信号を出力する出力手段と、前記親局計算機によりダウンロードされ起動される監視操作用の画面プログラムを保持する画面プログラム保持手段と、前記通信ネットワークを介して前記親局計算機と通信を行う通信手段とを備え、前記状態データは、前記親局計算機で前記画面プログラムが実行されることにより表示される監視操作用の画面上に表示されることを特徴とする遠方監視制御子局。
【請求項８】
配電線に配置された開閉器や系統の状態信号を取り込み通信ネットワークを介して繋がる親局計算機にメイルサーバ経由で前記開閉器や系統の状態を通知する遠方監視制御子局であって、前記開閉器から状態信号を入力する信号入力手段と、前記信号入力手段の出力から配電線の系統状態あるいは開閉器および自局の状態データを出力する状態判断手段と、前記状態判断手段から出力される状態データを記憶する状態データ記憶手段と、前記状態判断手段の状態データと前記状態データ記憶手段に記憶されている状態データとを比較して状態変化を検出したときに前記状態データ記憶手段に対して前記状態判断手段から出力される状態データを記憶させるための状態変化有り信号を出力する状態比較手段と、前記状態変化有り信号により予め登録された所定のメイルアドレスに対して状態変化があったことを通知するメイルを送信するメイル発行手段と、前記親局から前記通信ネットワークを介して送られてくる開閉器の制御信号を出力する出力手段と、前記親局計算機によりダウンロードされ起動される監視操作用の画面プログラムを保持する画面プログラム保持手段と、前記通信ネットワークを介して前記親局計算機または前記メイルサーバと通信を行う通信手段とを備えたことを特徴とする遠方監視制御子局。
【請求項９】
前記メイル発行手段は、前記親局計算機が前記制御子局と接続されていないときにメイルを送信することを特徴とする請求項８記載の遠方監視制御子局。
【請求項１０】
前記所定のメイルアドレスは、前記親局計算機が前記通信ネットワークに接続されていないときは、操作者のメイルアドレスに切り替え、操作者に状態変化があったことを通知することを特徴とする請求項８記載の遠方監視制御子局。
【請求項１１】
定時になると前記メイル発行手段に対して、メイル送信指令を出す時刻判定手段を備えたことを特徴とする請求項８記載の遠方監視制御子局。
【請求項１２】
前記親局計算機または予め登録された所定のアドレスから送られてくるメイルを受信しこのメイルより制御指令を抽出し前記出力手段に出力する受信手段を備えたことを特徴とする請求項８記載の遠方監視制御子局。
【請求項１３】
配電線に配置された開閉器や系統の状態信号を遠方監視制御子局を介して取り込み、取り込んだデータを通信ネットワークを経由して親局計算機に送信することにより開閉器および系統状態を監視する配電系統監視方法であって、前記遠方監視制御子局では、監視操作用の画面プログラムを保存する段階と、前記親局計算機からの要求に基づき保存している画面プログラムを送信する段階と、前記開閉器から状態信号を入力する段階と、入力した状態信号から配電線の系統状態あるいは開閉器および自局の状態データを演算する段階と、前記状態データを送信する段階とを備え、前記親局計算機では、前記遠方監視制御子局から前記画面プログラムをダウンロードし実行する段階と、前記遠方監視制御子局より前記状態データを受信する段階と、前記画面プログラムを実行することにより表示される監視操作画面上に前記遠方監視制御子局の前記状態データを表示する段階とを備えたことを特徴とする配電系統監視方法。
【請求項１４】
配電線に配置された開閉器や系統の状態信号を遠方監視制御子局を介して取り込み、取り込んだデータをメイルサーバを経由して親局計算機に送信することにより開閉器および系統状態を監視する配電系統監視方法であって、前記遠方監視制御子局では、監視操作用の画面プログラムを保存する段階と、前記親局計算機からの要求に基づき保存している画面プログラムを送信する段階と、前記開閉器から状態信号を入力する段階と、入力した状態信号から配電線の系統状態あるいは開閉器および自局の状態データを周期的に演算する段階と、前記演算結果と保存されている状態データとを比較して状態変化を検出したときに前記演算結果を新たな状態データとして保存すると共に予め登録された所定のメイルアドレスに対して状態変化があったことを通知するメイルを送信する段階とを備え、前記メイルサーバでは、前記遠方監視制御子局より受信した状変通知メイルを保存する段階と、この保存しているメイルと前記遠方監視制御子局より新たに受信した状変通知メイルとの内容を比較し、保存されている状変通知メイルの内容を最新の状態に更新する段階とを備え、前記親局計算機では、前記遠方監視制御子局から前記画面プログラムをダウンロードし実行する段階と、前記メイルサーバから自局宛てのメイルを受信する段階と、受信したメイルから前記遠方監視制御子局の前記状態データを抽出し前記画面プログラムを実行することにより表示される監視操作画面上に表示する段階とを備えたことを特徴とする配電系統監視方法。
【発明の詳細な説明】
【０００１】
【発明の属する技術分野】
本発明は、配電線に配置された開閉器や配電系統の状態を開閉器毎に設置された遠方監視制御子局と、さらに通信線ネットワークを介して繋がる親局計算機を用いて監視制御する配電自動化システム、遠方監視制御子局および配電系統監視方法に関する。
【０００２】
【従来の技術】
従来、配電自動化システムは、遠方監視制御子局（以下、子局）と親局計算機（以下、親局）のそれぞれに専用のプログラムを置き、子局と親局を繋ぐ通信ネットワークに常時接続して監視するのが一般的である。
【０００３】
図８は、従来の配電自動化システムの構成図である。図８において、配電自動化システムは、複数の開閉器１と開閉器ごとに設置された子局２と、子局２と通信ネットワーク４を介して繋がる親局３から構成されている。さらに子局２は、配電線に配置された開閉器１からの状態信号Ｖｉｎを入力する入力手段２０と、入力手段２０の出力信号Ｄｉｎから開閉器１及び自局２の状態データＤｎを出力する状態判断手段２１と、通信手段２３からの制御指令Ｄｏｕｔにより開閉器１を制御する為の制御出力Ｖｏｕｔを出力する出力手段２２と、親局３と通信を行い状態判断手段２１及び出力手段２２と信号を授受する通信手段２３から構成されている。親局３は、子局の状態データを記録するサーバ装置３０と、遠方監視制御操作を行う為のクライアント装置３１から構成されている。また、通信ネットワーク４は例えばＬＡＮ（ローカルエリアネットワーク）やＷＡＮ（ワイドエリアネットワーク）で構成され、複数の子局や親局が接続されている。
【０００４】
次に、配電自動化システムの動作を説明する。親局３を構成するサーバ装置３０は定期的に通信ネットワークを介して開閉器ごとに配置された子局２から状態データＤｎを受信し、自局のデータベースを常に最新データに更新すると共に、特定のデータにおいて最新データがデータベースに記録されている前のデータと相違がある場合に、同じく親局３を構成するクライアント装置３１に状態変化が有ったことを通知する。また、クライアント装置３１からの指令により該当する子局２に対して制御指令の送信を行う。
【０００５】
クライアント装置３１はサーバ装置３０から子局２のデ−タを受信し監視制御画面上に表示すると共に、サーバ装置３０から状態変化有りの通知を受け取った場合には操作者に状態変化があったことを通知する。また、操作者による操作指示により前記サーバ装置３０に対して当該監視制御子局２に対する制御指示を出力する。
【０００６】
子局２は入力手段２０により定期的に開閉器１から状態信号Ｖｉｎを入力し状態判断手段２１により状態データＤｎを更新して、親局３からの指令により状態データＤｎを親局３に送信する。また、親局３からの制御指令により開閉器１に制御出力Ｖｏｕｔを出力する。
【０００７】
【発明が解決しようとする課題】
ところが、従来案の配電自動化システムでは、開閉器や配電系統の状態変化を常時監視するために、子局と親局は通信ネットワークによって常にオンラインで接続しておく必要があり、親局故障時のバックアップ用に機器の二重化や２４時間動作の可能な高い信頼性が必要になる。また、配電自動化システムでは、親局が多くの子局を管理するためにデータ量が多くなりサーバ装置の容量が大きくなる。さらに、親局はシステムごとに専用のプログラムを開発する必要があることから非常に高コストとなってしまうという問題点がある。
【０００８】
本発明は上記問題点を解決するためになされたもので、その目的は、安価な汎用のパーソナルコンピュータを遠方監視制御用の親局計算機として利用し、専用のプログラムが不用で、計算機の故障などにより親局がオフラインとなった場合でも既存のシステムを利用してバックアップを可能とする安価な配電自動化システム、遠方監視制御子局および配電系統監視方法を提供することにある。
【０００９】
【課題を解決するための手段】
請求項１の発明に係わる配電自動化システムは、配電線に配置された開閉器と、前記開閉器や系統の状態信号を取り込む遠方監視制御子局と、前記遠方監視制御子局と通信ネットワークを介して繋がる親局計算機とを有し、開閉器および系統状態を遠方監視制御する配電自動化システムであって、前記遠方監視制御子局は、前記開閉器から状態信号を入力する信号入力手段と、前記信号入力手段の出力から配電線の系統状態あるいは開閉器および自局の状態データを出力する状態判断手段と、開閉器の制御信号を出力する出力手段と、監視操作用の画面プログラムを保持する画面プログラム保持手段と、前記通信ネットワークを介して前記親局計算機と通信を行う通信手段とを備え、前記親局計算機は、前記通信ネットワークを介して前記遠方監視制御子局と通信を行う通信手段と、前記遠方監視制御子局から前記画面プログラムをダウンロードし実行する画面プログラム起動手段と、前記画面プログラム起動手段を実行することにより表示される監視操作画面上に前記遠方監視制御子局の前記状態データを表示する状態データ表示手段と、前記監視操作画面を通して開閉器の制御指令を送出する制御指令送信手段とを備えたことを特徴とする。
【００１０】
請求項１の発明に係わる配電自動化システムでは、開閉器に対応して遠方監視制御子局を配置し、親局となる計算機にブラウザ機能を有する計算機を用いて、各遠方監視制御子局と通信ネットワークにより接続し、親局の計算機はブラウザ機能を起動し該当する遠方監視制御子局から監視操作用画面プログラムを通信ネットワークを介してダウンロードし実行する。
【００１１】
請求項２の発明に係わる配電自動化システムは、配電線に配置された開閉器と、前記開閉器や系統の状態信号を取り込む遠方監視制御子局と、前記遠方監視制御子局と通信ネットワークを介して繋がる親局計算機と、前記通信ネットワーク介して前記遠方監視制御子局および前記親局計算機と繋がるメイルサーバとを有し、開閉器および系統状態を遠方監視制御する配電自動化システムであって、前記遠方監視制御子局は、前記開閉器から状態信号を入力する信号入力手段と、前記信号入力手段の出力から配電線の系統状態あるいは開閉器および自局の状態データを出力する状態判断手段と、前記状態判断手段から出力される状態データを記憶する状態データ記憶手段と、前記状態判断手段の状態データと前記状態データ記憶手段に記憶されている状態データとを比較して状態変化を検出したときに前記状態データ記憶手段に対して前記状態判断手段から出力される状態データを記憶させるための状態変化有り信号を出力する状態比較手段と、前記状態変化有り信号により予め登録された所定のメイルアドレスに対して状態変化があったことを通知するメイルを送信するメイル発行手段と、開閉器の制御信号を出力する出力手段と、監視操作用の画面プログラムを保持する画面プログラム保持手段と、前記通信ネットワークを介して前記親局計算機または前記メイルサーバと通信を行う通信手段とを備え、前記メイルサーバは、前記通信ネットワークを介して送られてくる前記遠方監視制御子局からのメイルを保存するメイル保存手段を備え、前記親局計算機は、前記通信ネットワークを介して前記遠方監視制御子局または前記メイルサーバと通信を行う通信手段と、前記遠方監視制御子局から前記画面プログラムをダウンロードし実行する画面プログラム起動手段と、前記メイルサーバから自局宛てのメイルを受信するメイル受信手段と、前記受信手段により受信したメイルから前記遠方監視制御子局の前記状態データを抽出し前記画面プログラム起動手段を実行することにより表示される監視操作画面上に表示する状態データ抽出手段と、前記監視操作画面を通して開閉器の制御指令を送出する制御指令送信手段とを備えたことを特徴とする。
【００１２】
請求項２の発明に係わる配電自動化システムでは、状態データをメイルで送信することとし、親局においては、まずダウンロードした画面プログラムを起動して監視操作画面を表示させ、その後、逐次受信したメイルから状態データを抽出して、その抽出された状態データを監視操作画面上に表示する。
【００１３】
請求項３の発明に係わる配電自動化システムは、請求項２の発明において、前記メイル発行手段は、前記親局計算機が前記制御子局と接続されていないときにメイルを送信することを特徴とする。
【００１４】
請求項３の発明に係わる配電自動化システムでは、さらに、親局計算機が制御子局と接続されていないときに、メイル発行手段はメイルを送信する。
【００１５】
請求項４の発明に係わる配電自動化システムは、請求項２の発明において、前記所定のメイルアドレスは、前記親局計算機が前記通信ネットワークに接続されていないときは、操作者のメイルアドレスに切り替え、操作者に状態変化があったことを通知することを特徴とする。
【００１６】
請求項４の発明に係わる配電自動化システムでは、さらに、親局計算機が前記通信ネットワークに接続されていないときは、所定のメイルアドレスを操作者のメイルアドレスに切り替え、操作者に状態変化があったことを通知する。
【００１７】
請求項５の発明に係わる配電自動化システムは、さらに、前記遠方監視制御子局において、定時になると前記メイル発行手段に対して、メイル送信指令を出す時刻判定手段を備えたことを特徴とする。
【００１８】
請求項５の発明に係わる配電自動化システムでは、遠方監視制御子局において、所定の時刻に定時信号を出力して、メイル発行手段はこの定時信号により通信ネットワークの所定のメイルアドレスに対してメイルを発行する。
【００１９】
請求項６の発明に係わる配電自動化システムは、さらに、前記親局計算機において、前記遠方監視制御子局への制御指令をメイルで送信するメイル送信手段を備え、前記遠方監視制御子局において、前記親局計算機または予め登録された所定のアドレスから送られてくるメイルを受信しこのメイルより制御指令を抽出し前記出力手段に出力する受信手段を備えたことを特徴とする。
【００２０】
請求項６の発明に係わる配電自動化システムでは、遠方監視制御子局に所定のメイルアドレスを持たせ、通信ネットワークに接続された親局計算器より遠方監視制御子局に対してメイルを送信することで、開閉器の入り／切り制御及び各種設定を行う。ここで、各種設定とは、たとえば、電圧の変化から開閉器の投入までの時間設定とか、データ収集時刻または収集周期など、配電系統の監視制御に必要なパラメータの設定をいう。
【００２１】
請求項７の発明に係わる遠方監視制御子局は、配電線に配置された開閉器や系統の状態信号を取り込み通信ネットワークを介して繋がる親局計算機に前記開閉器や系統の状態を通知する遠方監視制御子局であって、前記開閉器から状態信号を入力する信号入力手段と、前記信号入力手段の出力から配電線の系統状態あるいは開閉器および自局の状態データを出力する状態判断手段と、前記親局から前記通信ネットワークを介して送られてくる開閉器の制御信号を出力する出力手段と、前記親局計算機によりダウンロードされ起動される監視操作用の画面プログラムを保持する画面プログラム保持手段と、前記通信ネットワークを介して前記親局計算機と通信を行う通信手段とを備え、前記状態データは、前記親局計算機で前記画面プログラムが実行されることにより表示される監視操作用の画面上に表示されることを特徴とする。
【００２２】
請求項８の発明に係わる遠方監視制御子局は、配電線に配置された開閉器や系統の状態信号を取り込み通信ネットワークを介して繋がる親局計算機にメイルサーバ経由で前記開閉器や系統の状態を通知する遠方監視制御子局であって、前記開閉器から状態信号を入力する信号入力手段と、前記信号入力手段の出力から配電線の系統状態あるいは開閉器および自局の状態データを出力する状態判断手段と、前記状態判断手段から出力される状態データを記憶する状態データ記憶手段と、前記状態判断手段の状態データと前記状態データ記憶手段に記憶されている状態データとを比較して状態変化を検出したときに前記状態データ記憶手段に対して前記状態判断手段から出力される状態データを記憶させるための状態変化有り信号を出力する状態比較手段と、前記状態変化有り信号により予め登録された所定のメイルアドレスに対して状態変化があったことを通知するメイルを送信するメイル発行手段と、前記親局から前記通信ネットワークを介して送られてくる開閉器の制御信号を出力する出力手段と、前記親局計算機によりダウンロードされ起動される監視操作用の画面プログラムを保持する画面プログラム保持手段と、前記通信ネットワークを介して前記親局計算機または前記メイルサーバと通信を行う通信手段とを備えたことを特徴とする。
【００２３】
請求項９の発明に係る遠方監視制御子局は、請求項８の発明において、前記メイル発行手段は、前記親局計算機が前記制御子局と接続されていないときにメイルを送信することを特徴とする。
【００２４】
請求項１０の発明に係る遠方監視制御子局は、請求項８の発明において、前記所定のメイルアドレスは、前記親局計算機が前記通信ネットワークに接続されていないときは、操作者のメイルアドレスに切り替え、操作者に状態変化があったことを通知することを特徴とする。
【００２５】
請求項１１の発明に係わる遠方監視制御子局は、さらに、定時になると前記メイル発行手段に対して、メイル送信指令を出す時刻判定手段を備えたことを特徴とする。
【００２６】
請求項１２の発明に係わる遠方監視制御子局は、さらに、前記親局計算機または予め登録された所定のアドレスから送られてくるメイルを受信しこのメイルより制御指令を抽出し前記出力手段に出力する受信手段を備えたことを特徴とする。
【００２７】
請求項１３の発明に係わる配電系統監視方法は、配電線に配置された開閉器や系統の状態信号を遠方監視制御子局を介して取り込み、取り込んだデータを通信ネットワークを経由して親局計算機に送信することにより開閉器および系統状態を監視する配電系統監視方法であって、前記遠方監視制御子局では、監視操作用の画面プログラムを保存する段階と、前記親局計算機からの要求に基づき保存している画面プログラムを送信する段階と、前記開閉器から状態信号を入力する段階と、入力した状態信号から配電線の系統状態あるいは開閉器および自局の状態データを演算する段階と、前記状態データを送信する段階とを備え、前記親局計算機では、前記遠方監視制御子局から前記画面プログラムをダウンロードし実行する段階と、前記遠方監視制御子局より前記状態データを受信する段階と、前記画面プログラムを実行することにより表示される監視操作画面上に前記遠方監視制御子局の前記状態データを表示する段階とを備えたことを特徴とする。
【００２８】
請求項１４の発明に係わる配電系統監視方法は、配電線に配置された開閉器や系統の状態信号を遠方監視制御子局を介して取り込み、取り込んだデータをメイルサーバを経由して親局計算機に送信することにより開閉器および系統状態を監視する配電系統監視方法であって、前記遠方監視制御子局では、監視操作用の画面プログラムを保存する段階と、前記親局計算機からの要求に基づき保存している画面プログラムを送信する段階と、前記開閉器から状態信号を入力する段階と、入力した状態信号から配電線の系統状態あるいは開閉器および自局の状態データを周期的に演算する段階と、前記演算結果と保存されている状態データとを比較して状態変化を検出したときに前記演算結果を新たな状態データとして保存すると共に予め登録された所定のメイルアドレスに対して状態変化があったことを通知するメイルを送信する段階とを備え、前記メイルサーバでは、前記遠方監視制御子局より受信した状変通知メイルを保存する段階と、この保存しているメイルと前記遠方監視制御子局より新たに受信した状変通知メイルとの内容を比較し、保存されている状変通知メイルの内容を最新の状態に更新する段階とを備え、前記親局計算機では、前記遠方監視制御子局から前記画面プログラムをダウンロードし実行する段階と、前記メイルサーバから自局宛てのメイルを受信する段階と、受信したメイルから前記遠方監視制御子局の前記状態データを抽出し前記画面プログラムを実行することにより表示される監視操作画面上に表示する段階とを備えたことを特徴とする。
【００２９】
【発明の実施の形態】
以下、本発明の実施の形態を説明する。図１は本発明の第１の実施の形態に係わる配電自動化システムの構成図である。図１において、配電自動化システムは、開閉器１と開閉器ごとに設置された子局５と、子局５と通信ネットワーク４を介して繋がる親局６から構成されている。ここで、子局５は、例えば配電線の開閉器ごとに配置され、開閉器１の状態信号Ｖｉｎを入力する入力手段２０、入力手段２０の出力信号Ｄｉｎから開閉器１及び自局５の状態データＤｎを出力する状態判断手段２１、開閉器１を入り／切り制御するための制御出力Ｖｏｕｔを出力する出力手段２２、ＪＡＶＡ言語（ＪＡＶＡはサン・マイクロシステムズ社の登録商標）などで記載された監視操作用画面プログラムＰｄａｔａを保持する画面プログラム保持手段２４、および、通信ネットワーク４を介して親局６と通信を行う為の通信手段２３により構成されている。親局６はメイル機能とブラウザ機能を有する汎用のパーソナルコンピュータを用いて、通信ネットワーク４に接続されている。
【００３０】
次に本実施の形態による配電自動化システムの動作を説明する。子局５は開閉器１の状態信号Ｖｉｎを入力手段２０に定期的に取り込んで、状態判断手段２１により開閉器１及び自局５の状態を判断し状態データＤｎを出力する。
【００３１】
一方、親局６では、開閉器１を遠方監視制御するため、まず、ブラウザを起動し通信ネットワーク４を介して該当する子局５のＵＲＬを呼び出す。子局５は親局６からの呼び出しにより画面プログラム保持手段２４に保持されている監視操作用画面プログラムＰｄａｔａを親局６へ送信する。親局６は、子局５よりダウンロードした監視操作用画面プログラムＰｄａｔａを起動して該当する開閉器１の監視操作画面を表示すると共に、子局５から状態データＤｎを定期的に受信して、この監視操作画面上に表示する。
【００３２】
親局６が開閉器１を遠方制御する場合は、親局６の監視操作画面上の操作ボタンのクリックにより、通信ネットワーク４を介して該当する子局５に対して制御指令を送信する。子局５はこの制御指令を通信手段２３を介して受信し、出力手段２２に制御指令Ｄｏｕｔを出力する。これにより、出力手段２２は制御指令Ｄｏｕｔに対応した制御出力Ｖｏｕｔを開閉器１に出力する。
【００３３】
本実施の形態によれば、親局は専用プログラムを必要とせず、汎用のブラウザソフトを組み込むことだけでよいため安価なパーソナルコンピュータが使用できる。また、親局は子局ごとにＵＲＬを切り替えて行くことで複数の機器を監視できる。さらに、状態データは子局から直接受信することから、データを蓄積するサーバ装置が不要で安価に構築できる。また、監視操作画面プログラムは子局ごとに用意するので、一つの開閉器部分だけの監視操作画面プログラムでよく安価で構築できる。特に、本実施の形態では、ダウンロードする画面プログラムは、状態データを切り離した監視操作用画面情報としているので、状態変化のたびに監視操作画面情報をダウンロードする必要がなく通信ネットワークおよび各局の負荷を軽減することができる。
【００３４】
次に、第２の実施の形態を説明する。図２は、本発明の第２の実施の形態に係わる配電自動化システムの構成図である。第１の実施の形態との違いは、メイルサーバ１２を設けたことと、図１の子局５に対して、状態変化有り信号Ｄｃｈｇにより状態データＤｎを記憶する状態データ記憶手段２５と、状態判断手段２１の状態データＤｎと状態データ記憶手段２５に記憶された前の状態データＤｎ−１とを比較して状態変化があった場合に状態変化有り信号Ｄｃｈｇを出力する状態比較手段２６と、状態変化有り信号Ｄｃｈｇがあり、自局と親局６がオンライン状態でない場合には通信ネットワーク４の所定のメイルアドレスに対してメイルを発行するメイル発行手段２７とを追加し、子局７に変更したことである。ここで、所定のメイルアドレスとは、たとえば操作者の携帯端末のメイルアドレスなどである。その他については、図１と同一であるので、同一要素には同一符号を付し、説明は省略する。
【００３５】
次に、子局７の追加機能である状態データ記憶手段２５、状態比較手段２６、および、メイル発行手段２７の動作について説明する。
【００３６】
まず、子局７は開閉器１の状態信号Ｖｉｎを入力手段２０に定期的に取りこんでおり、そのたびに状態比較手段２６は状態判断手段２１の状態データＤｎと状態データ記憶手段２５に記録されている状態データＤｎ−１とを比較し、状態変化があった場合に状態変化有り信号Ｄｃｈｇを出力する。
【００３７】
状態データ記憶手段２５は状態変化有り信号Ｄｃｈｇにより記憶している状態データＤｎ−１を最新の状態データＤｎに記憶更新し、メイル発行手段２７は状態変化有り信号Ｄｃｈｇがあり、自局７が親局６のパーソナルコンピュータとオンライン状態でない場合に、所定のメイルアドレスに対して状態変化が有ったことを通知するメイルＭｄａｔａを通信手段２３を介して発行する。このメイルＭｄａｔａは、メイルサーバ１２を経由して所定のメイルアドレスを有する装置へ送られる。
【００３８】
本実施の形態によれば、第１の実施の形態の効果に加え、さらに、親局と子局がオンライン状態でなくとも、配電系統及び開閉器に状態変化があった場合に、所定のメイルアドレスに対してメイル発行し、状態変化が発生した事をメイル先の操作者等に通知できることから、親局は常時オンラインでの２４時間接続する必要がないので、安価にシステムを構築することができる。
【００３９】
なお、上記の説明では、自局７が親局６とオンラインのときは親局にメイルを発行し、自局７が親局６とオンラインでないときは、例えば操作者の携帯端末など親局以外の所定のアドレスに対してメイルを発行することとしたが、親局６については常時メイルを発行し、必要に応じて親局以外の所定のアドレスに対してもメイルを発行することも可能である。以下、図３ないし５を用いて詳述する。
【００４０】
図３は、本実施の形態における親局とメイルサーバの機能を説明するためのブロック図である。ここで、親局６は、演算処理機能を有する計算機本体６２と表示機能と入力機能を有する表示入力装置６１で構成されている。また、計算機本体６２は、通信ネットワーク４を介して子局７やメイルサーバ１２と通信を行う通信手段６３、子局７から送られてきた画面プログラムＰｄａｔａを起動する画面プログラム起動手段６４、表示入力装置とデータの入出力を行う入出力手段６５、メイルサーバ１２からメイルを受信するメイル受信手段６６、受信したメイルから状変データを抽出する状変データ抽出手段６７、および、表示入力装置６１から入力された制御指令を子局７へ送信する制御指令送信手段６８で構成されている。また、メイルサーバ１２は、通信ネットワーク４を介して子局７や親局６等と通信を行う通信手段１３、受信したメイルを保持する保存手段１４、保存しているメイルの内容を変更する更新手段１５で構成されている。
【００４１】
まず、親局６がオフライン状態のときの子局７とメイルサーバ１２の動作を説明する。子局７のメイル発行手段２７から送信されたメイルは、通信ネットワーク４を介してメイルサーバ１２の通信手段１３を通して、保存手段１４に保存される。図４（ａ）は子局７から発行されたメイルの一例である。１時１０分５秒にポジションＡの機器（子局７が監視する開閉器等の機器）が動作し、状態０（オフ状態）になり、また、１時１０分８秒には、ポジションＢの機器が動作し、状態１（オン状態）になり、これが同じメイルで送られたときのデータ例である。なお、時刻情報には必要に応じて年月日やミリ秒以下の情報を加えることも可能であり、状変時のデータフォーマットはこの例に限られるものではない。このメイルは、親局６がオンラインになりメイルサーバ１２にアクセスするまで、メイルサーバ１２の保存手段１４に保持される。いま、親局６のオフライン状態が継続している間に、さらにポジションＡの状態が変化したとする。このとき図４（ｂ）に示すように別の状変通知メイルが送信される。メイルが同じメイルになるか異なるメイルに成るかはメイルの送信周期と状変の発生タイミングによるが、最初の状変が発生してから一定時間に発生した状変をまとめて送信するという方法もある。
【００４２】
図４（ｂ）に示す内容の後着メイルは、メイルサーバ１２に届くが、既に図４（ａ）に示す親局６宛ての先着メイルが保存されているため、更新手段１５により、両メイルの各ポジションについて比較され、重複しているポジションであるポジションＡについては、最新の状態に更新され、保存手段１４に保存される。図４（ｃ）は更新後のメイルの内容である。
【００４３】
次に、親局６はオンライン状態になると、まず、子局７から画面プログラムＰｄａｔａをダウンロードし、画面プログラム起動手段６４で起動する。これにより入出力手段６５を介して、表示入力装置６１に監視操作用の画面が表示される。次に、親局６は、メイルサーバ１２から図（ｃ）に示す内容のメイルを通信手段６３を介してメイル受信手段６６により受信し、さらに状態データ抽出手段６７により、各ポジションＡ，Ｂの現在状態を抽出し、入出力手段６５を通して、配電系統画面上に機器の状態を反映して表示入力装置６１に表示する。
【００４４】
一方、表示入力装置６１の監視操作画面を通して入力された制御指令は制御指令送信手段６８により、子局７へ送られる。子局７では出力手段２２を介して、開閉器１に制御信号が出力される。
【００４５】
このようにメイルサーバで逐次保存しているメイルを更新するようにすれば、親局が長時間オフライン状態でもメイルサーバが容量超過に陥ることがなく、これを避けるために過去のメイルを削除する必要もない。また親局がオンラインになったとたんに多量のメイルが送信され親局の負荷が過大になることを避けることもできる。さらに、子局は親局がオンラインかオフラインかを逐次監視する必要がないため、子局の負荷を低くすることができる。
【００４６】
なお、メイルサーバ１２において、メイル内容を更新するときに、図５に示すように、ポジションごとに変化のあった回数を保存するようにすれば、親局において、オフライン時間と変化回数の関係から機器の異常を監視することもできる。
【００４７】
また、上記の説明では、更新手段１５をメイルサーバ１２に設けることとしたが、子局７に設け、親局６がオフラインのときにメイル内容を更新するようにしても良い。なお、第１の実施の形態のようにメイルによらずに状態データを送信する場合は、親局６のメイル受信手段６６と状態データ抽出手段６７に代えて、受信した状態データを監視操作画面上に表示する状態データ表示手段を設けることにより実現することができる。
【００４８】
次に、第３の実施の形態を説明する。図３は、本発明の第３の実施の形態に係わる配電自動化システムの構成図である。第２の実施の形態との違いは、図２の子局７に対して、定時信号Ｔｓを出力する時刻判定手段２８を追加し、メイル発行手段２７を状態変化があった場合のメイル発行の他に、定時信号Ｔｓにより所定のメイルアドレスに対して状態データＤｎをメイルで発行するようにしたメイル発行手段２９に変更し、子局８に変更した。その他については、図２と同一であるので、同一要素には同一符号を付し、説明は省略する。
【００４９】
次に、子局８の時刻判定手段２８及びメイル発行手段２９の動作について説明する。時刻判定手段２８は時計機能を内蔵し例えば毎正時に定時信号Ｔｓを出力する。メイル発行手段２９は前記定時信号Ｔｓにより自局８が親局６とオンライン状態でない場合に、所定のメイルアドレスに対して最新の状態データＤｎを通知するメイルＭｄａｔａを発行する。
【００５０】
本実施例によれば、第２の実施の形態の効果に加え、さらに、親局と子局がオンライン状態でなくとも、配電系統及び開閉器の状態を、例えば配電線の電圧や電流等の計測データと一緒に子局より定時的にメイル発行することにより、配電系統の負荷トレンドを把握することができ配電系統の効率的な運用が可能である。
【００５１】
次に、第４の実施の形態を説明する。図４は、本発明の第４の実施の形態に係わる配電自動化システムの構成図である。第１の実施の形態との違いは、図１の子局５に対して、所定のメイルアドレスを持つメイル受信手段９１を追加し、子局９に変更したものである。その他については、図１と同一であるので、同一要素には同一符号を付し、説明は省略する。
【００５２】
子局９のメイル受信手段９１は通信ネットワークを介して、自局のメイルアドレスに送られてくるメイルを通信手段２３を介して受信し、例えば自局９が動作するのに必要なデータをメイルから抽出したり、メイルの内容により開閉器１の制御を実施する。なお、このメイル受信手段９１は、第２または第３の実施の形態に示す子局に設けることもできる。
【００５３】
本実施例によれば、子局の各種データ設定や制御指示がメイルによって可能となり、親局のブラウザ機能の故障等により遠方監視制御子局とオンライン接続できない場合のバックアップが可能になる。また、メイル機能はパーソナルコンピュータに付属されたものが使用できるので、専用のプログラム開発が不要で安価にシステムの構築がでる。
【００５４】
【発明の効果】
以上説明したように、本発明の配電自動化システム、遠方監視制御子局および配電系統監視方法においては、親局、子局間の効率の良い伝送により通信ネットワークの負荷を軽減し、特に親局については、常時通信ネットワークに接続しておく必要がなく、かつ、低コストな汎用の計算機を用いて実現することが可能となる。
【図面の簡単な説明】
【図１】本発明の第１の実施の形態に係わる配電自動化システムの構成図。
【図２】本発明の第２の実施の形態に係わる配電自動化システムの構成図。
【図３】図２の親局とメイルサーバの機能を説明するためのブロック図
【図４】図３のメイルサーバが受信するメイル内容の一例を示すもので、図４（ａ）はメイルサーバにおける親局宛ての先着メイルの説明図、図４（ｂ）はメイルサーバにおける親局宛ての後着メイルの説明図、図４（ｃ）はメイルサーバの更新手段による変更後のメイルの説明図。
【図５】図３のメイルサーバの更新手段による変更後のメイルの他の例の説明図。
【図６】本発明の第３の実施の形態に係わる配電自動化システムの構成図。
【図７】本発明の第４の実施の形態に係わる配電自動化システムの構成図。
【図８】従来の配電自動化システムの構成図。
【符号の説明】
１…開閉器、２、５、７、８、９…遠方監視制御子局、３、６…従来案の親局
４…通信ネットワーク、１２…メイルサーバ、１３…メイルサーバの通信手段
１４…保存手段、１５…更新手段、２０…入力手段、２１…状態判断手段
２２…出力手段、遠方監視制御子局の通信手段、２４…画面プログラム保持手段
２５…状態データ記憶手段、２６…状態比較手段、２７、２９…メイル発行手段
２８…時刻判定手段、３０…親局用サーバ装置、３１…親局用クライアント装置
６１…表示入力装置、６２…計算機本体、６３…親局の通信手段
６４…画面プログラム起動手段、６５…入出力手段、６６…メイル受信手段
６７…状態データ抽出手段、６８…制御指令送信手段、９１…メイル受信手段
【図１】
2004088973.tif 000003
【図２】
2004088973.tif 000004
【図３】
2004088973.tif 000005
【図４】
2004088973.tif 000006
【図５】
2004088973.tif 000007
【図６】
2004088973.tif 000008
【図７】
2004088973.tif 000009
【図８】
2004088973.tif 000010